(57)【要約】【課題】専用の補正モードを持たず、かつ通常の使用状態下で、正確かつ確実にタッチ操作される位置の補正ができるタッチパネル入力装置を提供する。【解決手段】外部入力情報（ログインＩＤ情報）は、ログインＩＤ使用可否判定処理部３０６へ送られ、使用可否が判定される。使用可能ならば、テンキー形状記憶部３２０からテンキー形状を取得し、表示処理部３１２はタッチパネル１１０にテンキーを表示する。テンキーに暗証番号をタッチ操作で入力させ、その暗証番号及び入力位置情報を記憶させる。入力暗証番号記憶処理部３１６に記憶された暗証番号及び入力位置情報は正しい暗証番号と比較判定をされ、暗証番号入力位置情報を補正処理部３３４へ送り、入力位置ずれ量比較判定処理部３２４へ入力し、入力位置のずれ量を出力する。その入力位置のずれ量情報を基に、入力位置補正処理部３２８はタッチパネル１１０の入力位置の補正を行う。【選択図】図３
2008181325.tif 000002
【特許請求の範囲】
【請求項１】
表示された入力項目を指標として、タッチ操作することによって前記入力項目を選択指示することが可能なタッチパネルと、
所定の条件が成立したときに、予め定められた前記タッチパネル上の所定の範囲で仕切られる複数の操作予測領域にタッチ操作されることを予測する操作予測手段と、
前記所定条件が成立したときに前記操作予測領域をタッチ操作させるように指示する操作指示手段と、
前記操作予測手段で予測した操作予測領域内の各位置と、前記操作指示手段による指示に応じてタッチ操作された位置とのそれぞれの前記タッチパネル上の位置データを比較する比較手段と、
前記比較手段により比較した結果に基づいて、前記タッチ操作の際の位置ずれ量を演算する位置ずれ量演算手段と、
前記位置ずれ量に基づいてタッチ操作される位置を補正する補正手段と、
を備えたタッチパネル入力装置。
【請求項２】
前記位置ずれ量を記憶する記憶手段をさらに有し、前記補正手段が前記位置ずれ量の統計的データに基づいて補正することを特徴とする請求項１記載のタッチパネル入力装置。
【請求項３】
前記所定条件の成立が、暗証符号を入力する要求が発生したときであることを特徴とする請求項１又は請求項２記載のタッチパネル入力装置。
【請求項４】
前記操作予測領域は、暗証符号に用いられる各符号の境界が予め定められ、所定の形状に組み合わされた画像であることを特徴とする請求項１乃至請求項３の何れか１項記載のタッチパネル入力装置。
【請求項５】
前記暗証符号が、予め登録された暗証符号と一致しなかった場合は、前記タッチパネル上の位置データは、前記位置ずれ量演算の対象外とすることを特徴とする請求項３記載のタッチパネル入力装置。
【発明の詳細な説明】
【技術分野】
【０００１】
本発明は、タッチパネル入力装置に関する。
【背景技術】
【０００２】
従来、タッチパネルのタッチ操作したときの位置ずれを補正するためには補正専用モード（以下、「原点補正専用モードと」と言う）に入る必要がある。
【０００３】
従来の制御では、一般のユーザーに原点補正専用モードを公開すると、誤った作業で位置ずれを起こしてしまう可能性があるため、タッチ操作したときの位置ずれの補正はサービスマンが現場へ出向き、作業を行っている。
【０００４】
ところが、このようなサービスマンに委ねる手法では、サービスマンの到着までの時間に費やし、迅速な対応がとれないという欠点がある。
【０００５】
そこで、タッチパネルの入力位置ずれが発生した場合、特別に追加するハードウェアなしで、自動的にキャリブレーションを行う安価な方法が提案されている（特許文献１参照）。
【０００６】
この特許文献１では、タッチパネルにタッチ操作している際、意図されない入力位置をアナログ−デジタル変換回路（Ａ／Ｄコンバータと呼ぶ）により座標データに変換する。そして、座標データがコントローラに入力されると入力が想定されている一番近い座標が入力されたものとしてキャリブレーションを行う。そのため、キャリブレーションを行うための画面を表示することなく自動的にタッチパネルの入力位置を補正するためのキャリブレーションを行うことができる。
【０００７】
また、一般のユーザーが通常使用中に自動的にタッチパネルの押圧検出座標の校正を行うことが提案されている（特許文献２参照）。
【０００８】
この特許文献２では、画面に表示する複数の操作ボタンの中で、画面の対角に位置する操作ボタンを校正用観測ボタンとする。校正用押圧検出座標とボタン表示の中心座標に基づいてタッチパネル全体の押圧検出座標の校正係数を算出し、押圧検出座標を補正する。従って、ユーザーが意識することなく通常使用中に自動的にタッチパネルの押圧検出座標の校正を行うことができる。
【特許文献１】特開２００１−６７１８６号公報
【特許文献２】特開２００２−１４９３８４号公報
【発明の開示】
【発明が解決しようとする課題】
【０００９】
しかしながら、特許文献１では、位置ずれのためにキャリブレーションが行われたのか、間違って押されたためにキャリブレーションが行われたのか分からない。そのため、通常の使用状態の下で、正確かつ確実にタッチ操作される位置の補正をすることができないという問題がある。さらに、特許文献２では、一般のユーザーが校正用観測ボタンを押す意思があって押したのか、位置ずれのために押されたのか分からない。そのため、通常の使用状態の下で、正確かつ確実にタッチ操作される位置の補正をすることができないという問題がある。
【００１０】
本発明は、専用の補正モードを持たず、かつ通常の使用状態の下で、正確かつ確実にタッチ操作される位置の補正をすることができるタッチパネル入力装置を提供することを目的とする。
【課題を解決するための手段】
【００１１】
請求項１に記載の発明は、表示された入力項目を指標として、タッチ操作することによって前記入力項目を選択指示することが可能なタッチパネルと、所定の条件が成立したときに、予め定められた前記タッチパネル上の所定の範囲で仕切られる複数の操作予測領域にタッチ操作されることを予測する操作予測手段と、前記所定条件が成立したときに前記操作予測領域をタッチ操作させるように指示する操作指示手段と、前記操作予測手段で予測した操作予測領域内の各位置と、前記操作指示手段による指示に応じてタッチ操作された位置とのそれぞれの前記タッチパネル上の位置データを比較する比較手段と、前記比較手段により比較した結果に基づいて、前記タッチ操作の際の位置ずれ量を演算する位置ずれ量演算手段と、前記位置ずれ量に基づいてタッチ操作される位置を補正する補正手段と、を備えている。
【００１２】
請求項１に記載の発明によれば、本発明のタッチパネル入力装置は、表示された入力項目を指標として、タッチ操作することによって前記入力項目を選択指示することが可能なタッチパネルを有している。所定の条件が成立したとき（例えば、ユーザーがＩＤの認証等を行ったとき）に、操作予測手段によって、予め定められた前記タッチパネル上の所定の範囲で仕切られる複数の操作予測領域にタッチ操作されることを予測する。前記所定条件が成立したときに、操作指示手段が前記操作予測領域をタッチ操作させるように指示する。前記操作予測手段で予測した操作予測領域内の各位置と、前記操作指示手段による指示に応じてタッチ操作された位置とを比較手段によってそれぞれの前記タッチパネル上の位置データを比較する。前記比較手段により比較した結果に基づいて、位置ずれ量演算手段によって前記タッチ操作の際の位置ずれ量を演算し、前記位置ずれ量に基づいて補正手段によってタッチ操作される位置を補正する。
【００１３】
従って、専用の補正モードを持たず、かつ通常の使用状態の下で、正確かつ確実にタッチ操作される位置の補正をすることができる。
【００１４】
請求項２に記載の発明は、請求項１の発明において、前記位置ずれ量を記憶する記憶手段をさらに有し、前記補正手段が前記位置ずれ量の統計的データに基づいて補正することを特徴とする。
【００１５】
請求項２に記載の発明によれば、前記位置ずれ量を統計的データとして多数の位置ずれ量のデータを基に扱うことができるので前記補正手段の補正する精度が高くなる。
【００１６】
請求項３に記載の発明は、請求項１又は請求項２の発明において、前記所定条件の成立が、暗証符号を入力する要求が発生したときであることを特徴とする。
【００１７】
請求項３に記載の発明によれば、前記所定条件の成立が、暗証符号を入力する要求が発生したときであるのは、他の機能ボタンだと、操作するたびに表示場所が動いてしまっては使いにくいのに対し、暗証符号であれば、入力用（例えばテンキー等）の表示位置を色々な位置に変更しても問題なく入力することができるためである。なお、暗証符号は、符号、記号、番号等を全て含んで構成される。
【００１８】
請求項４に記載の発明は、請求項１乃至請求項３の何れか１項の発明において前記操作予測領域は、暗証符号に用いられる各符号の境界が予め定められ、所定の形状に組み合わされた画像であることを特徴とする。
【００１９】
請求項４に記載の発明によれば、暗証符号に用いられる各符号の境界が予め定められ、前記タッチパネルの枠内に表示できる所定の形状に組み合わされた画像であるならば、前記操作予測領域は、様々な形状に組み合わされた画像をタッチ操作するのでセキュリティーが向上する。
【００２０】
請求項５に記載の発明は、請求項３の発明において、前記暗証符号が、予め登録された暗証符号と一致しなかった場合は、前記タッチパネル上の位置データは、前記位置ずれ量演算の対象外とすることを特徴とする。
【００２１】
請求項５に記載の発明によれば、入力された前記暗証符号が、予め登録された暗証符号と一致しなかった場合は、前記タッチパネル上の位置データは、前記位置ずれ量演算の対象外となり削除され、使われない。従って、誤った補正を行わず、正確な補正を確実に行うことができる。
【発明の効果】
【００２２】
以上説明したように本発明によれば、専用の補正モードを持たず、かつ通常の使用状態の下で、正確かつ確実にタッチ操作される位置の補正をすることができるという効果が得られる。
【発明を実施するための最良の形態】
【００２３】
本実施の形態を図１を参照して説明する。図１（ａ）及び図１（ｂ）は、本実施の形態に係るタッチパネル入力装置１００上でテンキーを用いた暗証番号入力画面の概略図である。
【００２４】
タッチパネル入力装置１００は、専用ペンや指でタッチパネル１１０に触れると、上部がたわむことにより、タッチパネル１１０を構成する上下の一定の電気抵抗を有する導電性の導電膜（抵抗膜）が接触し、導通することにより入力を検知する。詳細に説明すると、タッチパネル１１０を構成する上下の電極の抵抗膜が接触した際、入力したポイントにおいて縦横方向で電圧値を読み取り、コントローラによって変換した座標値として出力される。なお、本実施の形態の図１のタッチパネル入力装置１００は、タッチパネル１１０及び表示デバイス（ＬＣＤ：Ｌｉｑｕｉｄ  Ｃｒｙｓｔａｌ  Ｄｉｓｐｌａｙと呼ぶ）３３６で構成されている。
【００２５】
図１（ａ）は、補正に必要な座標データを９箇所とした場合の例で、当該操作の基準となる９個のポイントを丸付き数字１〜９で示している。なお、この図１（ａ）等で示す丸付き数字１〜９並びに一点鎖線は実際に表示されるものではない。タッチパネル入力装置１００は図１（ａ−１）を基本とし、例えば、暗証番号等の数字列を入力する時期になると、所謂テンキー画像１１２を表示するようになっている。このとき、図１（ａ−２）、図１（ａ−３）、図１（ａ−４）、図１（ａ−５）に示される如く、テンキー画像１１２の位置を異ならせて表示するようになっている。このテンキーの表示位置の変更は、所定条件の成立時に入力を要求する暗証番号の数字列と、前記タッチパネル入力装置１００上の９個のポイント位置とに基づいて設定されるようになっている。
【００２６】
図１（ａ）の場合は、暗証番号が「１２３４」のそれぞれの数字「１」、「２」、「３」、「４」、をタッチパネル１１０上のタッチポイントの丸付き数字１〜４に合わせて表示し、この表示状態で暗証番号の各数字を入力させる。このため、操作者が、まず図１（ａ−２）に示すような状態で、テンキー１１２に示された数字の「１」の所定の範囲で仕切られる複数の操作予測領域にタッチ操作すると予測する。同様に、図１（ａ−３）に示すような状態でテンキー１１２に示された数字の「２」の所定の範囲で仕切られる複数の操作予測領域にタッチ操作すると予測する。また、図１（ａ−４）に示すような状態でテンキー１１２に示された数字の「３」の所定の範囲で仕切られる複数の操作予測領域にタッチ操作すると予測する。さらに、図１（ａ−５）に示すような状態でテンキー１１２に示された数字の「４」の所定の範囲で仕切られる複数の操作予測領域にタッチ操作すると予測する。
【００２７】
すなわち、数字の「１」は丸付き数字のポイント”１”の位置、数字の「２」は丸付き数字のポイント”２”の位置、数字の「３」は丸付き数字のポイント”３”の位置、数字の「４」は丸付き数字のポイント”４”の位置に対応することになる。このとき、暗証番号は常に一定であるため、暗証番号の各数字に対応するポイント位置を変更して、何度も繰り返すことで補正精度を経時的に上げることが可能である。
【００２８】
上述によって、暗証番号「１２３４」が入力されたことが認識され、押圧されたポイント部分を電圧値でタッチパネル１１０上の座標を計測する。そして、目標の座標値と押圧された座標との縦横方向への位置ずれ量から補正データを求め、その補正データを基にそのタッチ操作したずれを補正する。なお、暗証番号「１２３４」を１つでも間違えて「１２３５」等と入力した場合はその補正データはそれぞれ４つとも破棄する。なお、「１２３５」のように「５」の１つ分だけ間違えている場合は、間違えた分である１つ分だけを破棄することも可能である。また、多くの補正データを蓄積し、多くの補正データを統計データとして取得し、タッチ操作のばらつきを統計的に判断し、タッチパネル１１０の補正をより精密に行うことが好ましい。この場合、蓄積データを蓄積する毎に補正を実行すればよい。
【００２９】
図１（ｂ）は、テンキー１１２の形状を操作指示する暗証番号の数字毎に変更していくパターンを記載している。さらに、図１（ａ）との違いは、暗証番号の各数字とタッチパネル１１０上のタッチポイント（丸付数字）との対応関係が異なる点にある。これは各ポイント（丸付数字）のデータを均等に得るためと、併せてセキュリティーのためであり、無作為にそれぞれの場所の位置のポイントを変えることにより見られても暗証番号が発覚する可能性は低い。なお、図２のように、本実施の形態に係るテンキー１１２は様々な形状でよい。また、この図２で示した以外の形状でもよいし、テンキーのように数字だけでなく符号、記号またはアルファベット等の文字列を使用してもよい。
【００３０】
図３は、本実施の形態に係るタッチパネル入力装置における機能ブロック図であり、各部間の信号（データ）の流れを示す。
【００３１】
ログインＩＤ入力用リーダー３００、タッチパネル入力装置１００を構成しているＬＣＤ３３６及びタッチパネル１１０は、タッチパネル入力位置補正処理装置３３２に接続されている。タッチパネル入力位置補正処理装置３３２には補正処理部３３４が含まれており、タッチパネル入力位置補正処理装置３３２の入力位置記憶部３２２、暗証番号照合処理部３１８、及び表示処理部３１２が接続されている。なお、本実施の形態に係るタッチパネル入力装置１００では、ログインＩＤ入力用リーダー３００は、別にログインＩＤ入力専用のリーダーを設けているが、タッチパネル入力装置１００でログインＩＤ入力を兼ねてもよい。
【００３２】
ログインＩＤ入力用リーダー３００は、外部からの入力情報を読み取る。読み取られた情報は、ログインＩＤ入力用リーダー３００からの外部入力情報としてタッチパネル入力位置補正処理部３３２に入力される。タッチパネル入力位置補正処理部３３２に入力された外部入力情報はログインＩＤ認識処理部３０２へ入力される。ログインＩＤ認識処理部３０２へ入力された外部入力情報は、ログインＩＤ情報としてログインＩＤ使用可否判定処理部３０６へ送られる。ログインＩＤ使用可否判定処理部３０６では、ログインＩＤ記憶部３０４からログインＩＤ情報を取得し、ログインＩＤ認識処理部３０２から送られてきたログインＩＤ情報と比較して使用が可能か否かを判定する。
【００３３】
ログインＩＤが使用不可であるならば、ログイン使用不可情報を表示処理部３１２へ送り、表示処理部３１２がメッセージ等を表示することができるＬＣＤ３３６に各種表示情報として使用不可のメッセージを表示させる。
【００３４】
ログインＩＤが使用可能であるならば、ログイン使用可能情報をテンキー形状設定処理部３１４へ送る。テンキー形状設定処理部３１４では、テンキー形状記憶部３２０からテンキー形状を取得し、テンキー形状情報を表示処理部３１２へ送る。テンキー形状情報を受け取った表示処理部３１２はＬＣＤ３３６に各種表示情報として暗証番号を入力できるように色々な形状をしたテンキーの１つを表示する。例えば、図２（ａ）〜（ｅ）に示すようなテンキー１１２のような形状を表示する。なお、本実施の形態に係るタッチパネル入力装置１００では、テンキー形状設定処理部３１４は、基本的には数字を使用するが、数字だけでなく符号、記号またはアルファベット等の文字列を使用してもよい。
【００３５】
この状態で、操作者におけるタッチパネル１１０上での暗証番号のタッチ操作で、所定の範囲で仕切られる複数の操作予測領域にタッチ操作される位置を予測すると共に、入力されたその暗証番号及びタッチ操作された入力位置情報を入力暗証番号記憶処理部３１６に記憶させる。入力暗証番号記憶処理部３１６に記憶された暗証番号及び入力位置情報は暗証番号照合処理部３１８へ送られ暗証番号が合っているか間違っているかの判定を行う。その際、暗証番号照合処理部３１８では、暗証番号記憶部３１０に記憶された暗証番号情報が暗証番号読み出し処理部３０８によって読み出され、入力暗証番号記憶処理部３１６に記憶された暗証番号と照合し比較される。
【００３６】
暗証番号が合っていなければ、暗証番号使用不可情報を暗証番号照合処理部３１８が表示処理部３１２へ送り、表示処理部３１２が、各種表示情報としてＬＣＤ３３６へ暗証番号が違う旨をメッセージ等で表示させる。そして、再びタッチパネル１１０に暗証番号を入力させるようにする。
【００３７】
一方、暗証番号が合っていたならば、暗証番号照合処理部３１８が暗証番号入力位置情報を補正処理部３３４へ送る。送られた暗証番号入力位置情報は、入力位置ずれ量比較判定処理部３２４へ入力される。入力位置ずれ量比較判定処理部３２４は、正しく入力される位置（タッチ操作される位置の中心）を記憶している入力位置記憶部３２２から入力位置情報を取得し、入力された暗証番号入力位置情報とどれだけ位置に差があるかを判定する。判定の際、タッチ操作によって入力したポイントにおいて表示画面の縦横方向で電圧値を読み取り、コントローラによって変換した座標値として出力される。そこで、正しく入力される位置（タッチ操作される位置の中心）の座標との差を入力位置のずれ量（補正データ）として扱う。入力位置ずれ量比較判定処理部３２４は、入力位置のずれ量情報を入力位置ずれ量蓄積処理部３２６へ送る。入力位置のずれ量情報を受け取った入力位置ずれ量蓄積処理部３２６は、その情報を蓄積し、入力位置の補正データ情報を入力位置補正処理部３２８へ送る。入力位置の補正データ情報を受け取った入力位置補正処理部３２８は、入力位置補正情報を入力位置記憶部３２２へ送る。さらに、入力位置補正処理部３２８によって送られた入力位置補正情報を基にして、入力位置記憶部３２２において入力位置の中心座標情報の補正を行う。
【００３８】
以下に本実施の形態の作用を説明する。
【００３９】
図４及び図５に従って、本実施の形態に係るタッチパネル入力装置１００の入力位置補正制御ルーチンを説明する。
【００４０】
ステップ４００では、ログインＩＤの入力指示を表示する。詳細には、ログインＩＤ入力用リーダー３００（図３参照）等に外部からの入力情報を読み取る認証システムが、タッチパネル入力装置１００等の表示装置（ＬＣＤ３３６）にログインＩＤの入力を指示するメッセージ等を表示する。なお、外部からの入力情報にはＩＣカード、ＩＤカード、指紋、網膜、音声等のクライアントが特定可能な情報が用いられる。
【００４１】
ステップ４０２では、ログインＩＤが入力される。詳細には、ステップ４００にあるログインＩＤ入力用リーダー３００（図３参照）等に、クライアントによって外部からの入力情報（例えば、ＩＣカード、ＩＤカード、指紋、網膜、音声等）が入力される。
【００４２】
ステップ４０４では、暗証番号が読み出される。詳細には、ステップ４０２で入力されたログインＩＤが正しければ、暗証番号記憶部３１０（図３参照）に記憶された暗証番号が暗証番号読み出し処理部３０８（図３参照）によって読み出される。なお、基本的に暗証番号は、それぞれのログインＩＤに対応するそれぞれ違った暗証番号を使用するが、すべてのログインＩＤに対し同じ暗証番号を使用してもよい。なお、その場合は、暗証番号記憶部３１０（図３参照）には、ログインＩＤ毎に対応する違った暗証番号をそれぞれ記憶しておく必要があり、暗証番号読み出し処理部３０８（図３参照）は、ログインＩＤ毎に対応する違った暗証番号を暗証番号記憶部３１０（図３参照）から読み出す。
【００４３】
ステップ４０６では、タッチパネルのタッチポイントを無作為（ランダムとも呼ぶ）に設定される。詳細には、図１（ａ）の図１（ａ−１）、図１（ｂ）の図１（ｂ−１）に示すように、９ポイントのタッチパネル１１０上のタッチポイントの中で、４ポイントが無作為に設定される（暗証番号は４桁の場合）。
【００４４】
ステップ４０８では、テンキーの形状を無作為に設定する。詳細には、図２であるようなテンキー１１２であるようにテンキーの形状には定まった形はない。但し、タッチパネル１１０（図１参照）の範囲からはみ出ないようにテンキーの形状は定めなければならない。例えば、図１（ａ）、（ｂ）のテンキー１１２にあるようにタッチパネル１１０からはみ出ないようにすれば、どのような形状のテンキーでも構わない。
【００４５】
ステップ４１０では、暗証番号の入力指示を表示する。詳細には、タッチパネル入力装置１００（図１参照）上に表示されるテンキーに暗証番号をペンや指で押圧して入力するように指示するメッセージ等をタッチパネル入力装置１００の表示装置（ＬＣＤ３３６）に表示する。
【００４６】
ステップ４１２では、暗証番号を入力する処理を行う。詳細には、図５のように、タッチパネル１１０（図１参照）上に表示されたテンキー上の所定の範囲で仕切られる複数の操作予測領域にタッチ操作される位置を予測し、暗証番号をペンや指で押圧して４桁分を入力する。
【００４７】
図５では、本実施の形態に係るタッチパネル入力装置１００の暗証番号入力処理を説明する。
【００４８】
ステップ５００では、暗証番号の１桁目の数字を入力する。詳細には、図１のように暗証番号が「１２３４」であるならば、まず、数字の「１」を入力する。図１（ａ−２）または図１（ｂ−２）のタッチパネル１１０上の数字の「１」を押圧して選択する。
【００４９】
ステップ５０２では、暗証番号の１桁目の数字を入力したときのポイントの位置ずれ量を一時記憶する。詳細には、図１のように暗証番号が「１２３４」であるならば、まず、数字の「１」が入力されたので、その数字の「１」をタッチ操作したときの中心からのずれ量を計測する。計測の際、タッチ操作によって入力したポイントにおいて表示画面の縦横方向で電圧値を読み取り、コントローラによって変換した座標値として出力される。そこで、その座標と数字の「１」の中心座標との差を位置ずれ量（補正データ）として入力暗証番号記憶処理部３１６（図３参照）へ記憶させる。
【００５０】
ステップ５０４では、暗証番号の２桁目の数字を入力する。詳細には、図１のように暗証番号が「１２３４」であるならば、数字の「２」を入力する。図１（ａ−３）または図１（ｂ−３）のタッチパネル１１０上の数字の「２」を押圧して選択する。
【００５１】
ステップ５０６では、暗証番号の２桁目の数字を入力したときのポイントの位置ずれ量を一時記憶する。詳細には、図１のように暗証番号が「１２３４」であるならば、数字の「２」が入力されたので、その数字の「２」をタッチ操作したときの中心からのずれ量を計測する。計測の際、タッチ操作によって入力したポイントにおいて表示画面の縦横方向で電圧値を読み取り、コントローラによって変換した座標値として出力される。そこで、その座標と数字の「２」の中心座標との差を位置ずれ量（補正データ）として入力暗証番号記憶処理部３１６（図３参照）へ記憶させる。
【００５２】
ステップ５０８では、暗証番号の３桁目の数字を入力する。詳細には、図１のように暗証番号が「１２３４」であるならば、数字の「３」を入力する。図１（ａ−４）または図１（ｂ−４）のタッチパネル１１０上の数字の「３」を押圧して選択する。
【００５３】
ステップ５１０では、暗証番号の３桁目の数字を入力したときのポイントの位置ずれ量を一時記憶する。詳細には、図１のように暗証番号が「１２３４」であるならば、数字の「３」が入力されたので、その数字の「３」をタッチ操作したときの中心からのずれ量を計測する。計測の際、タッチ操作によって入力したポイントにおいて表示画面の縦横方向で電圧値を読み取り、コントローラによって変換した座標値として出力される。そこで、その座標と数字の「３」の中心座標との差を位置ずれ量（補正データ）として入力暗証番号記憶処理部３１６（図３参照）へ記憶させる。
【００５４】
ステップ５１２では、暗証番号の４桁目の数字を入力する。詳細には、図１のように暗証番号が「１２３４」であるならば、数字の「４」を入力する。図１（ａ−５）または図１（ｂ−５）のタッチパネル１１０上の数字の「４」を押圧して選択する。
【００５５】
ステップ５１４では、暗証番号の４桁目の数字を入力したときのポイントの位置ずれ量を一時記憶する。詳細には、図１のように暗証番号が「１２３４」であるならば、数字の「４」が入力されたので、その数字の「４」をタッチ操作したときの中心からのずれ量を計測する。計測の際、タッチ操作によって入力したポイントにおいて表示画面の縦横方向で電圧値を読み取り、コントローラによって変換した座標値として出力される。そこで、その座標と数字の「４」の中心座標との差を位置ずれ量（補正データ）として入力暗証番号記憶処理部３１６（図３参照）へ記憶させる。
【００５６】
ステップ４１４では、暗証番号が正しいか否かを判断する。詳細には、タッチパネル入力装置１００（図１参照）上に表示されたテンキー上に暗証番号をペンや指で押圧して４桁分を入力された暗証番号が４桁分正しいか否かを判断する。入力された暗証番号が間違っていれば、図５のタッチパネル入力装置１００の暗証番号入力処理で入力暗証番号記憶処理部３１６（図３参照）に記憶させた位置ずれ量の４ポイント分を位置ずれ量演算の対象外とし、削除し、ステップ４１０に戻る。または、入力された暗証番号が間違っていれば、図５のタッチパネル入力装置１００の暗証番号入力処理で入力暗証番号記憶処理部３１６（図３参照）に記憶させた位置ずれ量で、間違って入力された入力ポイント分の位置ずれ量だけを演算の対象外とし、削除し、ステップ４１０に戻ることもできる。入力された暗証番号が正しければステップ４１６へ進む。
【００５７】
ステップ４１６では、入力位置ずれ量を保存する。詳細には、暗証番号入力で入力暗証番号記憶処理部３１６（図３参照）に記憶させた位置ずれ量の４ポイント分を入力位置ずれ量蓄積処理部３２６（図３参照）へ蓄積保存させる。
【００５８】
ステップ４１８では、タッチパネル１１０のタッチポイントそれぞれにおいて所定数分収集できたか否かを判断する。詳細には、タッチパネル１１０のタッチポイントの９ポイントそれぞれにおいて入力位置のずれを補正するために必要な補正データを所定数分収集できたか否かを判断する。所定数分収集していなければ、所定数分の補正データを収集するまで処理を繰り返す。所定数分収集していれば、ステップ４２０へ進む。
【００５９】
ステップ４２０では、入力ずれ量をタッチポイントそれぞれにおいて補正処理を行う。詳細には、所定数分の補正データを基に入力ずれ量をタッチパネル１１０のタッチポイントの９ポイント分の補正をそれぞれ行う。
【００６０】
なお、図３の機能ブロック図、図４及び図５の補正のための制御フローにおいてのタッチ操作の位置の補正処理に関しては、所定のデータを集めた後に補正しているが、正しい暗証番号４ポイント分を入力する毎に補正処理をしても構わない。
【００６１】
図６は、タッチポイントの９ポイント分の所定数分のタッチ操作した位置の例を示した詳細図である。
【００６２】
本実施の形態に係るタッチパネル入力装置１００のタッチパネル１１０は、９個のタッチポイント６０１、６０２、６０３、６０４、６０５、６０６、６０７、６０８、６０９におけるタッチ操作のばらつきを示している。
【００６３】
タッチポイント６０１は、図に向かって右下方向へばらついている。また、タッチポイント６０２は、図に向かって左方向へばらついている。また、タッチポイント６０３は、図に向かって右上方向へばらついている。また、タッチポイント６０４は、図に向かって下方向へばらついている。また、タッチポイント６０５は、図に向かって上方向へばらついている。また、タッチポイント６０６は、図に向かって左下方向へばらついている。また、タッチポイント６０７は、図に向かって平均的に円を描くようにばらついており、特に方向的にはどの方面にもはらついてはいない。また、タッチポイント６０８は、図に向かって右方向へばらついている。さらに、タッチポイント６０９は、図に向かって左上方向へばらついている。
【００６４】
従って、そのばらつき方向に対して、それぞれのタッチポイントの矢印方向に向け、中心に集まるようにタッチポイントを補正してやれば位置ずれが補正できる。
【００６５】
図７は、図６のタッチポイントの９ポイント分の所定数分のタッチ操作した位置の例を補正した後を示した詳細図である。
【００６６】
本実施の形態に係るタッチパネル入力装置１００のタッチパネル１１０は、９個のタッチポイント７０１、７０２、７０３、７０４、７０５、７０６、７０７、７０８、７０９におけるタッチ操作のばらつきは、図６であったタッチ操作でのばらつきをタッチポイントの矢印方向に向け、中心に集まるようにタッチポイントを修正したものである。
【００６７】
従って、専用の補正モードを持たず、かつ通常の使用状態の下で、正確かつ確実にタッチ操作される位置の補正をすることができる。
【実施例】
【００６８】
図８には、本実施の形態に係るタッチパネル入力装置１００が画像形成装置１０に適用された実施例が示されている。
【００６９】
このタッチパネル入力装置１００は、画像形成装置１０のユーザーインターフェースパネル１２に取り付けられている。ユーザーは、このユーザーインターフェースパネル１２と対峙し、前記タッチパネル入力装置１００を用いて所定の入力操作を行うことで、画像形成装置１０の様々な動作を指示することができる。
【００７０】
また、タッチパネル入力装置１００では、前記入力操作の情報や、画像形成装置１０の様々な動作状態の情報が表示される。
【００７１】
画像形成装置１０は、筐体１４の上面にフラットベット上の原稿装填台であるガラス板１６を備えたスキャナ部１８が設けられている。ガラス板１６は、フィーダを兼ねた蓋体２０に覆われている。
【００７２】
また、筐体１４の内部には、前記スキャナ部１８で読み取られた画像データや、ＬＡＮ等のネットワークを介して受信した画像データに基づいて画像を形成する、所謂電子写真方式の画像形成部２２が収容されている。
【００７３】
前記ユーザーインターフェースパネル１２には、カードスロット２４が設けられている。このカードスロット２４は、図３に示す、ログインＩＤ入力用リーダー３００として適用される。
【００７４】
例えば、画像形成装置１０が、企業内の複数の部署で利用される場合、各部署での利用状況等の統計をとる必要がある場合、各部署にログインカードを配布し、必要に応じてこのログインカードを挿入させ、かつタッチパネル入力装置１００から暗証番号を入力することで、画像形成装置１０の使用を許可するようになっている。
【００７５】
なお、図８は、タッチパネル入力装置１００が適用された一例を示すものであり、上記画像形成装置１０のユーザーインターフェースパネル１２用に限らず、携帯電話、携帯端末機器、ＰＯＳシステム等の入力・表示装置等、その用途は様々である。
【図面の簡単な説明】
【００７６】
【図１】本実施の形態に係るタッチパネル入力装置上でテンキーを用いた暗証番号入力画面の概略図である。
【図２】本実施の形態に係るテンキーの様々な形状の種類の詳細を示した図である。
【図３】本実施の形態に係るタッチパネル入力装置における機能ブロック図である。
【図４】本実施の形態に係るタッチパネル入力装置における入力位置補正制御ルーチンを示すフローチャートである。
【図５】本実施の形態に係るタッチパネル入力装置における暗証番号入力処理を示すフローチャートである。
【図６】本実施の形態に係るタッチパネル入力装置におけるタッチポイントの９ポイント分の所定数分のタッチ操作した位置の例を示した詳細図である。
【図７】本実施の形態に係るタッチパネル入力装置における図６のタッチポイントの９ポイント分の所定数分のタッチ操作した位置の例を補正した後を示した詳細図である。
【図８】本実施の形態に係るタッチパネル入力装置が画像形成装置に適用された実施例の概略図である。
【符号の説明】
【００７７】
１００    タッチパネル入力装置
１１０    タッチパネル
１１２    テンキー
３３２    タッチパネル入力位置補正処理部
３３４    補正処理部
【図１】
2008181325.tif 000003
【図２】
2008181325.tif 000004
【図３】
2008181325.tif 000005
【図４】
2008181325.tif 000006
【図５】
2008181325.tif 000007
【図６】
2008181325.tif 000008
【図７】
2008181325.tif 000009
【図８】
2008181325.tif 000010